(57)【要約】【課題】  基材に他の要素を加えることなく、偽造防止性の高い偽造防止用紙を提供する。【解決手段】  基材表面の少なくとも一部に、凹部による線状の潜像体を含む偽造防止用紙であって、潜像体は、規則的に配列された複数の凹部連続線から成る背景領域と、背景領域を構成している凹部連続線の一本一本の一部に、所定の方向に沿って規則的に配列された凹部断絶線から成る潜像領域から構成され、凹部連続線と凹部断絶線は、基材と同色又は異色で構成されたことを特徴とする偽造防止用紙である。【選択図】  図６
2009083154.tif 000002
【特許請求の範囲】
【請求項１】
基材表面の少なくとも一部に、凹部による線状の潜像体を含む偽造防止用紙であって、
前記潜像体は、規則的に配列された複数の凹部連続線から成る背景領域と、前記背景領域を構成している凹部連続線の一本一本の一部に、所定の方向に沿って規則的に配列された凹部断絶線から成る潜像領域から構成され、
前記凹部連続線と前記凹部断絶線は、前記基材と同色又は異色で構成されたことを特徴とする偽造防止用紙。
【請求項２】
前記凹部連像線と前記凹部断絶線は、所定の領域に対する単位当たりの面積が等しいことを特徴とする請求項１記載の偽造防止用紙。
【請求項３】
前記凹部断絶線は、前記凹部連続線と異なる角度で配列されていることを特徴とする請求項１又は２記載の偽造防止用紙。
【請求項４】
前記凹部断絶線は、前記凹部連続線と９０度異なって配列されていることを特徴とする請求項１〜３記載の偽造防止用紙。
【請求項５】
前記凹部断絶線は、一定の間隔で配列されていることを特徴とする請求項１〜４記載の偽造防止用紙。
【請求項６】
前記凹部断絶線は、前記凹部連続線と平行に配列されていることを特徴とする請求項１又は２記載の偽造防止用紙。
【請求項７】
前記凹部連続線の線幅は、０．３０ｍｍ以下であることを特徴とする請求項１〜６記載の偽造防止用紙。
【請求項８】
前記凹部断絶線の短辺が、０．１５ｍｍ以下であることを特徴とする請求項１〜６記載の偽造防止用紙。
【請求項９】
前記潜像体が、万線、地紋模様、彩紋模様及びレリーフ模様のいずれか一つで視認できることを特徴とする請求項１〜８記載の偽造防止用紙。
【請求項１０】
基材表面の少なくとも一部に、非貫通の凹部の線状により形成された背景領域と潜像領域から成る潜像体を含んだ偽造防止用紙の作製方法であって、
前記背景領域は、複数の凹部連続線を規則的に配列し、
前記潜像領域は、前記背景領域を構成している凹部連続線の一本一本の一部に、所定の方向に沿って凹部断絶線を規則的に配列し、
前記背景領域の凹部連続線と前記潜像領域の凹部断絶線を、基材と同色又は異色により作製することを特徴とする偽造防止用紙の作製方法。
【発明の詳細な説明】
【技術分野】
【０００１】
本発明は、偽造防止用紙に関するものである。特に、銀行券、株券、印紙、証紙等の有価証券、パスポート、免許書及び各種証明書等の偽造防止用紙に関するものである。
【背景技術】
【０００２】
従来、有価証券、貴重書類等の偽造防止策は、インキに蛍光材料又は光学材料等を含ませた凹版印刷やオフセット印刷等により印刷層を基材に形成すること又はホログラム等の金属箔を基材に貼付することで機能性を付与している。これらの技術は、基材上の一部に積層して形成する。また、用紙内に偽造防止策を付与する技術としては、スレッド、混抄及び多層紙等がある。これらの技術は、用紙上又は用紙内に付与する技術であり、基材に他の要素を加えて成る。
【０００３】
一方、基材に他の要素を加えないで、基材のみの変形又は変色等によって偽造防止策となる代表的な技術としては、銀行券に見るようなすかしがある。しかし、基材に他の要素を加えない偽造防止策は、基材に他の要素を加える偽造防止策と比較して、技術の種類やバリエーションは少ないのが現状である。言い換えれば、基材に他の要素を加えない偽造防止策は、製品コストが抑えられ、製造工程も低減できるため、有効な技術ではあるが、構成が単純になりやすいため、極めて高い偽造防止効果を挙げることは難しい。
【０００４】
ところで、基材に他の要素を加えないで、かつ、基材の変形で偽造防止策となる技術として、すかし以外に、エンボスにより縦横の万線を基材に形成する方法が開示されている。この方法では、潜像パターンの領域とその周囲部の領域に、万線状の凹凸の方向を変えることで、斜めから観察した場合、潜像パターンが視認できる（例えば、特許文献１参照）。
【０００５】
さらに、基材にフィルムを用い、レーザ光により万線状の溝を異なる方向に設け、斜めから観察することで、潜像が視認できる技術が開示されている（例えば、特許文献２参照）。
【０００６】
また、微細な穿孔を基材に複数設けて、反射光では穿孔による情報は視認できないが、透過光で穿孔による情報が視認できるという技術が開示されている（例えば、特許文献３参照）。
【０００７】
また、基材に印刷する技術ではあるが、基材に、潜像を施さない領域には連続線、潜像を施す領域には断絶線を印刷し、複写したときに潜像を施した領域の断絶線が再現できなくなるという、複写防止技術が開示されている（例えば、特許文献４及び５参照）。
【０００８】
【特許文献１】特開２００２−１５４２６２号公報
【特許文献２】特許３５１４２９１号公報
【特許文献３】特表２０００−５０１０３６号公報
【特許文献４】特許３２６８４１８号公報
【特許文献５】特許３３６８３２７号公報
【発明の開示】
【発明が解決しようとする課題】
【０００９】
しかし、特許文献１及び特許文献２によると、万線状の凹凸又は溝は、潜像領域とその背景領域において、例えば、縦方向と横方向に配列方向を変えて構成しているが、単純な万線で構成しているため、潜像領域と背景領域の境界は潜像化され難く、基材を真上から視認した場合でも潜像が見えてしまうという欠点があった。また、エンボスにより凹凸を形成して潜像を作製する場合は、基材の一方の面は凹部、もう一方の面は凸部となることから、凸部を有する面は盛り上がりが発生してしまうため、手触りにより潜像体の存在が明らかになってしまう。さらには、万線を縦方向と横方向とで構成しているため、偽造が容易にできるという課題があった。
【００１０】
また、特許文献１は、基材に、エンボスにより万線状の凹凸を施しているので、エンボス用の版面を作製するための装置とノウハウを要し、さらには、基材にエンボス版面を押圧する装置が必要となることから、設備に多大な費用を要し、また、作製するのに前準備を含めて多くのとき間が掛かる。
【００１１】
特に、特許文献２では、基材を紙ではなくフィルムに限定しているが、フィルムは光の反射性が高く、かつ、フィルム表面と万線状の溝との光反射性が異なることから、フィルムの真上から視認した場合でも潜像が視認しやすく、フィルムをはがして再利用する改ざんに対しての効果は高いが、潜像としての効果は弱い。
【００１２】
また、特許文献３での構成では、基材を貫通した穿孔で設けているため、潜像体を設けている領域は、用紙の強度が低下してしまう。また、複写及び複製した場合に、穿孔部は、黒く再現されてしまい、さらに、その黒く再現された穿孔部を針等で孔を開ければ、容易に複製できてしまうという課題があった。
【００１３】
また、特許文献４及び特許文献５による構成では、潜像を施す領域には、複写機で再現できない程度の微細な断絶線を印刷し、複写後は断絶線が再現できないため、複写効果を有することが発明のポイントとなるが、年々複写機の性能が向上し、微細な点まで再現されるため、複写防止効果は低下するという課題があった。
【００１４】
なお、基材のみの偽造防止技術として代表的なのは、銀行券に見るようなすかしである。すかしは、抄紙機により紙料が湿紙状態のときに凹凸の画像を形成する。しかし、微細な凹凸による線や点を形成しようとしても、抄紙機の乾燥部に到達するまでに微細な凹凸は湿紙状態であるため、その形態を留めることは困難であり、すかしでは、微細な凹凸による潜像形成体は形成できない。このため、すかしの画像は、比較的幅の広い線や点で画像を形成している。また、この方法では、同じ図柄を継続的に作製する場合は優れるが、多種少量の製品を作製する場合は、ダンディロール等の図柄を短い周期で交換する必要があるため、作業効率が悪く、製造コストが高いなどの課題があった。
【００１５】
本発明は、上記事情にかんがみなされたものであり、基材に他の要素を基材に加えないで、基材のみで得られる偽造防止技術である。本発明の潜像体は、レーザ加工機により加工された線状の凹部から成り、その凹部は、カラーコピー機やスキャナでは再現されないことに着目し、完成された発明である。また、潜像体を真上から視認した場合は、潜像体の潜像体画像は視認できるが、所定の観察角度から視認すると潜像画像のみが視認できる偽造防止用紙を提供することを目的とする。
【課題を解決するための手段】
【００１６】
本発明の請求項１に係る発明は、基材表面の少なくとも一部に、凹部による線状の潜像体を含む偽造防止用紙であって、潜像体は、規則的に配列された複数の凹部連続線から成る背景領域と、背景領域を構成している凹部連続線の一本一本の一部に、所定の方向に沿って規則的に配列された凹部断絶線から成る潜像領域から構成され、凹部連続線と凹部断絶線は、基材と同色又は異色で構成されたことを特徴とする偽造防止用紙である。
【００１７】
本発明の請求項２に係る発明は、凹部連像線と凹部断絶線が、所定の領域に対する単位当たりの面積が等しいことを特徴とする偽造防止用紙である。
【００１８】
本発明の請求項３に係る発明は、凹部断絶線が、凹部連続線と異なる角度で配列されていることを特徴とする偽造防止用紙である。
【００１９】
本発明の請求項４に係る発明は、凹部断絶線が、凹部連続線と９０度異なって配列されていることを特徴とする偽造防止用紙である。
【００２０】
本発明の請求項５に係る発明は、凹部断絶線が、一定の間隔で配列されていることを特徴とする偽造防止用紙である。
【００２１】
本発明の請求項６に係る発明は、凹部断絶線が、凹部連続線と平行に配列されていることを特徴とする偽造防止用紙である。
【００２２】
本発明の請求項７に係る発明は、凹部連続線の線幅が、０．３０ｍｍ以下であることを特徴とする偽造防止用紙である。
【００２３】
本発明の請求項８に係る発明は、凹部断絶線の短辺が、０．１５ｍｍ以下であることを特徴とする偽造防止用紙である。
【００２４】
本発明の請求項９に係る発明は、潜像体が、万線、地紋模様、彩紋模様又はレリーフ模様のいずれか一つで視認できることを特徴とする偽造防止用紙である。
【００２５】
本発明の請求項１０に係る発明は、基材表面の少なくとも一部に、非貫通の凹部の線状により形成された背景領域と潜像領域から成る潜像体を含んだ偽造防止用紙の作製方法であって、背景領域は、複数の凹部連続線を規則的に配列し、潜像領域は、背景領域を構成している凹部連続線の一本一本の一部に、所定の方向に沿って凹部断絶線を規則的に配列し、背景領域の凹部連続線と潜像領域の凹部断絶線を、基材と同色又は異色により作製することを特徴とする偽造防止用紙の作製方法である。
【発明の効果】
【００２６】
（潜像画像の視認）
本発明の潜像体は、潜像体を真上から観察した場合に、潜像体画像は視認できるが、潜像画像は視認できない。一方、所定の観察方向から視認した場合、潜像画像のみが視認できる。また、潜像体の凹部の線幅と、線間隔を所定の長さにした場合は、真上から潜像体を視認した場合、潜像体画像も視認できないか、又は視認し難くなる構成も可能である。この場合は、所定の観察方向から視認した場合、潜像画像が視認できるほか、潜像体画像も視認でき、２種類の潜像画像が視認できる。
【００２７】
また、レーザ加工機で潜像体の凹部が焦げ等で着色した場合でも、潜像領域の凹部を微細に、かつ、潜像領域と背景領域との凹部の単位当たりの面積を同等にすることで、潜像体を真上から観察した場合に潜像体画像は視認できるが、潜像画像は視認できない。一方、所定の観察方向から視認した場合、潜像画像が視認できる。したがって、潜像体における凹部の着色の有無にかかわらず、潜像効果が得られるため、基材のレーザ光に対する着色性に限定されない。
【００２８】
（基材のみでの潜像効果）
また、本発明の潜像体は、基材をレーザ加工機によって加工して作製しているため、基材に他の要素を加えることなく、基材に対して他の要素を加える技術と比較してコストが低減できる。例えば、基材に他の要素を加える技術として、蛍光材料及び光学材料等を含む印刷インキ、スレッド、ホログラム等を基材に付与する技術は、夫々の材料費が高価な上、要素を付与するための専用の装置が必要となる。しかし、本発明では、材料費が不要であり、レーザ加工機のみで実施できる。また、本発明は、用紙の製造段階で付与するのではなく、用紙が完成した後に付与するため、潜像体となる画像や潜像画像などは自由に設定できる。したがって、大量の用紙に、同じ画像の潜像体を連続し形成することも可能であるし、用紙一枚一枚の潜像体の画像を変えることも可能である。
【００２９】
一方、レーザ加工機で本発明の潜像体の凹部を形成しているため、エンボスで作製する場合に対し、基材の一方の面に凸部による盛り上がりは発生しない。したがって、凸部による手触りにより潜像体の存在は確認できず、より隠蔽が可能となる。
【００３０】
（複写及び複製防止効果）
さらに、本発明の潜像体は、潜像体の凹部と基材表面との表面形状（又は表面粗さ）は若干異なるが、同色とした場合、人間の視覚には、潜像体の凹部と基材表面との反射光の差をとらえ、真上から観察した場合に潜像体画像を視認できる。一方、複写機やスキャナによって、潜像体の画像を入力しようとしても、人間の視覚ほどの感度や解像度を機械では備えていないため、潜像体の凹部で構成する潜像体画像は入力できない。その結果、潜像画像は言うまでもないが、潜像体の存在そのものを再現することができない。したがって、複写及び複製防止機能としての大きな効果を果たす。
【００３１】
一方、レーザ加工機で潜像体の凹部が着色した場合でも、複写機やスキャナでも潜像体の凹部による画像の再現は可能であるが、潜像効果は消失するため、複写及び複製による偽造防止抵抗力は高い。
【発明を実施するための最良の形態】
【００３２】
以下に、本発明における偽造防止用紙の実施の形態を図面に基づいて説明する。
図１は、本発明の概要図である。図２は、本発明の潜像体を構成する線の構成図である。図３は、本発明における第１の実施形態である潜像体の構成図である。図４は、本発明の潜像体を真上から観察した場合の模式図である。図５は、図４の一部拡大図である。図６は、本発明の潜像体のＸ−Ｘ’線断面図と第１の観察方向で潜像画像を視認したときの模式図である。図７は、一般的な環境で、第１の観察方向で潜像画像を視認したときの模式図である。図８は、本発明の潜像体のＹ−Ｙ’線断面図と第２の観察方向で潜像画像を視認したときの模式図である。図９は、一般的な環境で、第２の観察方向で潜像画像を視認したときの模式図である。図１０は、本発明における第２の実施形態における潜像体の構成図である。図１１は、本発明の潜像体のＸ−Ｘ’線断面図と第１の観察方向で潜像画像を視認したときの模式図である。図１２は、一般的な環境で、第１の観察方向で潜像画像を視認したときの模式図である。図１３は、本発明の潜像体のＹ−Ｙ’線断面図と第２の観察方向で潜像画像を視認したときの模式図である。図１４は、一般的な環境で、第２の観察方向で潜像画像を視認したときの模式図である。
【００３３】
（偽造防止用紙の概要）
まず、図１は、本発明の概要図である。本発明の偽造防止用紙１は、商品券であり、基材２には、黄色の上質紙に料額や種別の情報３がオフセット印刷や凹版印刷で印刷されている。また、基材２の任意の領域には、潜像領域と背景領域から成る潜像体４０が形成されている。なお、本実施の形態は、商品券で説明しているが、銀行券、パスポート、切手、印紙、証紙等の貴重性や金銭的価値のある物品に適用できる。また、基材２の色は、黄色に限らず制約はない。
【００３４】
（潜像体の線構成）
図２は、本発明における潜像体４０を構成する１本分の線を示す。例えば、図２（ａ）に示すように、凹部４１Ｌが基本的な線となり、凹部４１Ｌは非貫通の凹状であり、連続的な直線や曲線で構成することが好ましい。ただし、点線又は破線でも本発明の効果が得られれば構わない。また、潜像体４０をある所定の観察方向で視認したときに潜像が視認できるように、凹部４１Ｌの所定領域を潜像領域４２とし、線の形状を変化させて凹部４２Ｌを微細な非貫通の凹状として形成し、複数配置する。なお、図示しないが潜像領域４２以外は、背景領域４１となる。
【００３５】
凹部４２Ｌの形状としては、任意の方向に線を断絶している。具体的には、図２（ｂ）と図２（ｃ）は、縦方向に断絶している例であり、図２（ｄ）と図２（ｅ）は、横方向に断絶している例であり、図２（ｆ）は、縦横方向に断絶している例である。詳しくは、図２（ｂ）は、直線の凹部４１Ｌに対して、断絶線の線分である凹部４２Ｌは、９０度垂直方向に形成している。図２（ｃ）は、直線の凹部４１Ｌに対して、断絶線の線分である凹部４２Ｌは斜め、方向に形成している。図２（ｄ）は、凹部４１Ｌに対して、断絶の線分である凹部４２Ｌは、同一方向に形成しており、二重線となっている。図２（ｅ）は、図２（ｄ）の変形例であり、三重線となっている。図２（ｆ）は、図２（ｅ）の変形例であり、三重線を更に縦方向にも断絶している。
【００３６】
また、本発明の潜像体４０は、直線の凹部４１Ｌと、直線の凹部４１Ｌ及び断絶線の凹部４２Ｌとを、等間隔に複数配置し、潜像領域４２において、図２（ｂ）〜図２（ｆ）のような凹部４２Ｌを１種類選択し、潜像領域４２を所望の文字、図柄又はマークになるように配置することで、潜像体４０を真上から視認したときに、凹部４１Ｌ及び又は凹部４２Ｌでなる潜像体４０の画像は視認できるが、凹部４２Ｌで構成する潜像画像は視認できない。一方、所定の観察方向で視認したときに潜像画像のみが視認できる。なお、図２の矢印は、潜像画像が視認できる方向を示している。また、好ましくは、凹部４１Ｌと凹部４２Ｌの中心を合わせ、同一線上に配列することと、凹部４１Ｌと凹部４２Ｌとの凹部との単位面積当たりの面積が等しくなる構成が好ましい。この理由は、後述する潜像体画像の視認原理で説明する。
【００３７】
（第１の潜像体の構成）
次に、図３を用いて、具体的な潜像体４０の構成を説明する。図３（ａ）に示すように、潜像体４０は、背景領域４１と潜像領域４２とで構成され、背景領域４１には直線の凹部４１Ｌを複数等間隔で配列し、一方、潜像領域４２には、縦方向に断絶した断絶線の凹部４２Ｌが複数等間隔で配列されている。このとき、凹部４１Ｌと凹部４２Ｌはレーザ加工機により非貫通で加工している。なお、本実施の形態では、凹部をレーザ加工機により形成しているが、これに限定されるものではなく、微細な凹部を形成できる方法であれば良い。
【００３８】
図３（ｂ）は、図３（ａ）の潜像体４０の一部を拡大した図である。背景領域４１の直線の凹部４１Ｌが複数等間隔に配置されている。凹部４１Ｌの線幅Ｗ１は、０．０５〜０．１０ｍｍ、好ましくは０．１〜０．３０ｍｍであり、凹部４１Ｌの間隔Ｐ１は、０．１〜１．０ｍｍであり、一定の間隔（定周期）であることが好ましい。したがって、ここでいう「直線」とは、凹部４１Ｌになる。
【００３９】
一方、潜像領域４２は、潜像体４０を真上から視認したとき、単純な万線として視認できるように、断絶線で形成している。詳しくは、断絶線は、線分となる凹部４２Ｌと基材表面から形成している。このとき、前述の直線と断絶線との中心Ｓは、同一にすることが好ましく、このため、断絶線の間隔Ｐ２と直線の間隔Ｐ１は、同一である。また、凹部４２Ｌは、凹部４１Ｌと９０度方向を変え、凹部４２Ｌと凹部４２Ｌとの間隔Ｐ３は、一定の間隔（定周期）に配置している。なお、凹部４２Ｌは、方形であり、短辺Ｗ２、長辺Ｗ３及び間隔Ｐ３の長さは、凹部４１Ｌの線幅Ｗ１によって設定される。
【００４０】
背景領域４１における凹部４１Ｌと基材表面から成る所定の領域４１Ｅと、潜像領域４２内における凹部４２Ｌと基材表面から成る所定の領域４２Ｅとを同一面積とした場合、例えば、領域４１Ｅの面積は、ａ（凹部４１Ｌの１ピッチ分：Ｐ１）×ｂ（凹部４２Ｌの１ピッチ分：Ｐ３）とすると、領域４１Ｅ内における凹部４１Ｌの面積Ｘ１は、ｂ×線幅Ｗ１、一方、領域４２Ｅ内における凹部４２Ｌの面積Ｘ２は、Ｗ２×Ｗ３となる。このとき、面積Ｘ１（ｂ×Ｗ１）＝面積Ｘ２（Ｗ２×Ｗ３）とすると、所定の領域内での凹部面積は、等しくなる。
【００４１】
なお、潜像体４０を所定の観察方向で視認したときに潜像画像が視認できなければ、凹部４１Ｌと凹部４２Ｌとの中心Ｓが同一でなくても構わず、領域４１Ｅと領域４２Ｅの凹部の面積が異なっても構わない。また、凹部４２Ｌの短辺Ｗ２が短すぎると、光を反射する側壁の領域が小さいと潜像画像が視認できなくなるので、０．１０〜０．５０ｍｍの範囲が好ましい。また、凹部４２Ｌの長辺Ｗ３は、潜像体４０を真上から視認したときに、万線として視認するためには、凹部４１Ｌの線幅Ｗ１に対して、１．１倍〜２．０倍の範囲が好ましい。
【００４２】
ここでいう「潜像体画像」とは、背景領域４１の凹部４１Ｌと潜像領域４２の凹部４２Ｌとの線で構成した全体の画像のことであり、本実施形態では、直線が集合した「万線」として視認できる。なお、このとき、潜像領域４２の凹部４２Ｌで形成した潜像画像は、視認できない。一方、潜像画像とは、潜像領域４２の凹部４２Ｌの線で構成した画像をいい、本実施形態では、「Ｔ」の文字として視認できる。本実施形態では、潜像画像を背景領域で囲む構成としているが、背景領域を潜像画像で囲む構成でも構わない。また、本実施形態では、潜像体を線の集合体である万線で例示しているが、曲線や直線による地紋模様、彩紋模様及びレリーフ模様等の集合模様でも構わない。
【００４３】
（潜像体画像の視認原理）
図４は、潜像体４０の断面図と真上から観察した場合の模式図であり、図５は、図４の凹部４１Ｌ又は４２Ｌを拡大した模式図である。なお、ここでいう、潜像体４０を真上から視認したときとは、正確には、潜像体４０の画像の中心に視点を合わせて上から視認した場合のことである。
【００４４】
図５（ａ）に示すように、基材２の表面は、平滑であるのに対して、凹部４１Ｌ又は凹部４２Ｌの底部は、レーザ加工で物理的に削除しているために、ミクロ的に見ると凹凸を有する。ただし、どちらも表面は、同色である。このとき、基材表面の反射光は、平滑であるため、略一定の方向に光を反射するが、一方、凹部４１Ｌ又は凹部４２Ｌの反射光は、凹凸があるため任意の方向へと反射し、観察方向Ｋ１（真上）から視認したときには、互いの反射光に差異を生じ濃度差として知感できるため、凹部４１Ｌ又は凹部４２Ｌが視認できる。この結果、図５（ｂ）に示すように、潜像体４０の潜像体画像、正確には万線が視認できる。なお、線幅Ｗ１を短くした場合は、四角形とも視認できる。また、潜像体４０の画像の視認性は、極めて微弱であり、照明環境や観察角度により見えない場合もあり得る。図５（ａ）では、基材表面と凹部の形状の差を分かりやすくするため誇張して示しているが、実際は、このような極端な凹凸は認められない。なお、レーザ加工条件によっては、基材表面と凹部表面を同等の形状にすることも可能であり、この結果、基材表面と凹部の反射光を同一とし、潜像体画像が視認できない構成も実現できる。しかし、加工とき間、加工効率及び本発明の効果を考慮すると、必ずしも基材表面と凹部の形状を同等にする必要はない。
【００４５】
また、凹部４１Ｌと凹部４２Ｌとの所定の領域に対し、単位あたりの凹部の面積を同一とし場合、凹部面積が同等のため、凹部４１Ｌと凹部４２Ｌとの反射光も略同一となり、同一の色濃度として人の目には捉えられ、分断した凹部があるにもかかわらず、潜像体４０を真上から視認した場合には、１本の線として認識できる。なお、凹部４１Ｌと凹部４２Ｌとを着色した場合は、色として認識するため、凹部４１Ｌと凹部４２Ｌとの所定の領域に対し、単位あたりの凹部の面積を同一にすることが好ましいが、凹部４１Ｌと凹部４２Ｌとを着色しない場合は、色ではなく、凹部と基材の反射光の差異で認識するため、必ずしも、凹部４１Ｌと凹部４２Ｌとの所定の領域に対して単位あたりの凹部の面積が同一でなくても構わない。
【００４６】
前述した発明の構成及び作用によって、機械的な潜像体４０の潜像体画像の取り込みが困難となる。具体的には、複写機及びスキャナで潜像体４０の潜像体画像を入力した結果、基材と凹部は同色であることと、基材と凹部との反射光の差が微弱であることから、潜像体画像は取り込めず、潜像体４０の潜像体画像は再現できない。特に、凹部４１Ｌの線幅Ｗ１を０．１ｍｍ以下にし、それに応じて凹部４２Ｌを構成すると、凹部４１Ｌ及び凹部４２Ｌの反射光が極めて微弱となり、複写及び複製防止効果が高くなる。
【００４７】
なお、潜像体４０の潜像体画像を、真上から視認できないか、又はより視認し難くする構成は、直線の凹部４１の線幅を短く、かつ、広い間隔で配置することで実現できる。具体的には、例えば、凹部４１Ｌの線幅Ｗ１を０．１０ｍｍ以下とし、かつ、凹部４１Ｌの間隔Ｐ１を０．５０ｍｍ以上とし、これに応じて凹部４２Ｌを適宜設計すれば良い。さらに、基材の色には制約はなく、白、原色及び中間色でも構わない。
【００４８】
（潜像画像の視認原理）
図６及び図７を用いて、潜像体４０を所定の角度で視認した場合の潜像画像の視認原理を説明する。なお、潜像画像の出現原理を簡単に理解できるように、ここでは、まず、図６を用いて一般的な室内照明の他に、光の直進性が高いスポット光Ｓを用いて説明する。
【００４９】
図６（ａ）は、図３（ａ）のＸ−Ｘ’線断面図であり、正確には、背景領域４１の凹部４１Ｌの凹部に合わせた断面図である。このとき、潜像領域４２は断絶線となっているため、凹部４２Ｌと基材表面が交互に同一間隔で複数配列されている。一方、背景領域４１は、直線となっているため、凹部４１Ｌは連続的に凹んでいる。
【００５０】
図６（ｂ）は、図６（ａ）の斜視図であり、第１の観察方向から、潜像画像を視認している。潜像体４０に対し、蛍光灯など室内照明に加えて、斜め方向からスポット光Ｓでも照射している。観察位置Ｋ２は、スポット光Ｓと略同じ位置であり、観察位置Ｋ３は、観察位置Ｋ２と逆方向から視認した模式図である。なお、ここでいう「第１の観察方向」とは、潜像画像が視認できる方向であり、具体的には、図３（ａ）に示すＸ−Ｘ’方向である。また、第１の観察方向には、観察位置Ｋ２と観察位置３があるが、どちらでも潜像画像は視認できる。なお、観察位置Ｋ２で視認した場合とは、正確には、Ｘ→Ｘ’方向から潜像体４０の画像の中心を基点とし、基材に対して斜め上方向から、１０〜５０度で視認した観察位置をいい、観察位置Ｋ３で視認した場合とは、正確には、Ｘ’→Ｘ方向から潜像体４０の画像の中心を基点とし、基材に対して斜め上方向から１０〜５０度で視認した位置をいう。
【００５１】
まず、第１の観察方向の観察位置Ｋ２の視認状態を説明する。潜像領域４２の凹部４２Ｌの側壁４２ａ（図中では凹部４２Ｌの右側部）により、スポット光Ｓの光が白く反射して視認でき、さらに、凹部４２Ｌの間隔が斜め方向で視認することで圧縮されることから、潜像領域４２は、潜像画像として白く視認できる。一方、背景領域４１の凹部４１Ｌでは、スポット光Ｓの光を反射する断続的な凹部が存在しないため、通常の状態、すなわち、基材表面と同じ黄色で視認できる。このため、図６（ｃ）に示すように、潜像領域４２は白色、背景領域４１は黄色で視認できることから、潜像画像の「Ｔ」（ただし、横向き）が視認できる。
【００５２】
また、もう一方の観察位置Ｋ３の視認状態は、潜像領域４２の凹部４２Ｌの側壁４２ｂ（図中では凹部４２Ｌの右側部）により、スポット光Ｓの光は、基材表面で遮られて基材よりも暗く視認でき、さらに、凹部４２Ｌの間隔が斜め方向で視認することで圧縮されることから、潜像領域４２は、潜像画像として黒く視認できる。また、背景領域４１の凹部４１Ｌでは、前述のとおり、光を反射する断続的な凹部が存在しないため、通常の状態、すなわち、基材表面と同じ黄色で視認できる。このため、図６（ｄ）に示すように、潜像領域４２は黒色、背景領域４１は黄色と異なる色で視認できることから、潜像画像の「Ｔ」（ただし、横向き）が視認できる。したがって、スポット光Ｓを用いて、観察位置Ｋ２では、潜像画像は白い潜像画像、一方、逆方向の観察位置Ｋ３では黒い潜像画像として視認できる。
【００５３】
（一般的な環境下での潜像の視認）
前述では、スポット光Ｓを用いて潜像の視認原理を説明したが、一般的な室内照明として考えると、スポット光のような特定の方向に直進する照明を備えているのは、展示場やショールーム等に限られ、一般的ではない。したがって、多くの室内照明は、部屋全体に略均等に光が拡散するような設計となっているのが一般的であるため、このような環境下における潜像体４０の潜像画像の視認状態を説明する。なお、観察方向及び観察位置は、前述の図４及び図６と同様なため、説明は省略する。まず、潜像体４０を真上（観察方向Ｋ１）となる角度から視認した場合、前述の図４及び図５での説明と同様であり、潜像体４０の潜像体画像が視認できる。
【００５４】
次に、第１の観察方向の観察位置Ｋ２及び観察位置Ｋ３で視認した模式図が図７（ａ）である。図６（ｂ）と比較すると、観察位置Ｋ２及び観察位置Ｋ３ともに凹部４２は、白く視認できる。この理由は、潜像体４０には、任意の角度から光が照射されるため、基材表面により遮断されて影となり、黒くなる領域がないためである。したがって、一般的な環境では、潜像体４０を観察位置のＫ２及びＫ３で視認した場合、図７（ｂ）及び図７（ｃ）に示すように、凹部４２Ｌの側壁４２ａ又は側壁４２ｂに光が反射して、潜像画像の「Ｔ」（ただし、横向き）が視認できる。なお、背景領域４１の視認性は、前述と同様である。本実施形態では、潜像体４０の線構成を横方向としたため、潜像画像が横向きに視認できるが、線構成を縦方向にすれば、潜像画像は、縦方向（正対）として視認できるため、観察及び認証する方向によって、適宜、潜像体の線を設計すれば良い。また、本実施形態では、基材を黄色で説明したが、色の制約はなく、どのような色を使用しても潜像画像は白く認識できる。
【００５５】
（第２の観察方向での視認状態）
まず、第１の実施形態における第２の観察方向を利用する場合は、真上から潜像体画像が視認できない形態で潜像体４０を作製した場合に効果を発揮する。その理由は、第２の観察方向では潜像体画像が圧縮して視認できるため、既に真上から潜像体画像が視認できる形態で、第２の観察角度により視認する必要がない。したがって、第２の観察方向を利用する場合は、真上から潜像体画像が視認できない形態が好ましい。
【００５６】
図８及び図９を用いて、第２の観察方向による視認状態を説明する。なお、ここでいう「第２の観察方向」とは、第１の観察方向と９０度異なった方向であり、具体的には、図３（ａ）に示すＹ−Ｙ’方向である。第２の観察方向は、観察位置Ｋ４のようにＹ→Ｙ’方向及び観察位置Ｋ５のようにＹ’→Ｙ方向の二通りがある。図８（ａ）は、図３（ａ）のＹ−Ｙ’線断面図であり、正確には、潜像領域４２の凹部４２Ｌの凹部に合わせた断面図である。このとき、潜像領域４２では断絶線となっているため、凹部４２Ｌと基材表面が交互に同一間隔で断続的に複数配列されている。一方、背景領域４１は、直線となっているが、直線との直交方向であるため、こちらも、凹部４１Ｌと基材表面が交互に同一間隔に断続的に複数配列している。
【００５７】
（潜像画像の視認原理）
図８（ｂ）は、図６（ｂ）と観察位置を除いて同じ観察条件であり、スポット光Ｓと同一位置の観察位置Ｋ４と逆方向の観察位置Ｋ５から視認した模式図である。なお、図６（ｂ）と視認原理は、同じであるため、現象面のみ説明する。観察位置Ｋ４では、図８（ｃ）に示すように、背景領域４１の凹部４１Ｌと潜像領域４２の凹部４２Ｌと白く視認できることから、万線が圧縮されて四角形が白く視認できる。一方、観察位置Ｋ５では、図８（ｄ）に示すように、背景領域４１の凹部４１Ｌと潜像領域４２の凹部４２Ｌとが黒く視認できることから、万線が圧縮されて四角形が黒く視認できる。したがって、第２の観察方向では、真上から視認した潜像体画像が圧縮された形で視認できる。
【００５８】
（一般的な環境下での潜像の視認）
また、図９（ａ）は、図７（ａ）と観察位置を除いては同じ観察条件であり、一般的な観察環境で視認した模式図である。なお、図７（ａ）と視認原理は同じであるため、現象面のみ説明する。観察位置Ｋ４及び観察位置Ｋ５では、図９（ｂ）及び図９（ｃ）に示すように、共に万線が圧縮されて四角形が白く視認できる。したがって、第２の観察方向では、潜像体画像が圧縮され白く視認できることになる。このため、第１の実施形態で、かつ、真上から潜像体画像が視認できない潜像体４０を作製すると、９０度異なる二つの観察方向で、異なる２種類の潜像画像が視認できる。
【００５９】
（第２の潜像体の構成）
次に、別の実施形態である第２の潜像体４０を図１０を用いて説明する。第２の潜像体４０は、第１の形態の潜像体４０に対して、潜像領域４２の線構成と潜像画像の観察方向は異なるが、その他は同様の構成であるため、同じ説明は省略する。
【００６０】
図１０（ａ）に示すように、潜像領域４２には、図２（ｄ）のような二重線の凹部４２Ｌが配列されている。図１０（ｂ）は、図１０（ａ）の潜像体４０の一部を拡大した図である。背景領域４１には、直線の凹部４１Ｌが複数配置されており、凹部４１Ｌの線幅Ｗ１及び間隔Ｐ１等の条件は第１の実施形態と同様である。また、潜像領域４２は、横方向に分断した二重線であり、線分となる凹部４２Ｌは、凹部４１Ｌと同一方向に平行に配置している。さらに、凹部４２Ｌの線幅Ｗ２は、凹部４１Ｌの線幅Ｗ１によって設定され、二重線の凹部４２Ｌの線幅Ｗ２は、直線である凹部４１Ｌの線幅Ｗ１の１／２であることが好ましい。なお、凹部４２Ｌの線幅Ｗ２は、三重線であれば１／３、四重線であれば１／４・・・・・ｎ重線であれば１／ｎと、適宜凹部４１Ｌの線幅Ｗ１を、ｎ分割すれば良い。したがって、単位当たりの凹部の面積は、所定の領域内（領域４１Ｅと領域４２Ｅ）で等しくなる。なお、凹部４２Ｌの線幅Ｗ２が短すぎると、光を反射する側壁の面積が小さくなるため、０．１０ｍｍ以上が好ましい。また、凹部４２Ｌの間隔Ｐ３は、特に制約はないが、凹部４１Ｌの線幅Ｗ１を超えると、潜像体４０を真上から視認したときに、潜像画像が視認しやすくなるため、直線の凹部４１Ｌと二重線の線分である凹部４２Ｌが一部接していることが好ましい。なお、凹部４２Ｌは、線幅Ｗ２が短辺となり、線幅Ｗ２と直交する方向が長辺となる。
【００６１】
（潜像体画像の視認原理）
潜像体４０の画像を真上から観察した場合は、第１の形態の潜像体と同様であるため、同じ説明は省略する。
【００６２】
（潜像画像の視認原理）
第２の潜像体４０における潜像画像の視認原理は、基本的には第１の潜像体４０と同様であるが、本実施形態では、潜像領域と背景領域とに設けた凹部の数が異なることで反射する光の反射量に起因し、潜像画像が視認できる。
【００６３】
図１１（ａ）は、図１０（ａ）に示す潜像体４０のＹ−Ｙ’線断面図であり、図１１（ｂ）は、図６（ｂ）と観察方向は異なるが、同じ条件で第１の観察方向で視認したときの模式図である。背景領域４１の直線の凹部４１Ｌに対して、潜像領域４２は、二重線の凹部４２Ｌとしているため、凹部の数は、背景領域４１に対して潜像領域４２が２倍となる。そのため、観察位置Ｋ２では、背景領域４１の凹部４１Ｌの側壁４１ａと潜像領域４２の凹部４２Ｌの側壁４２ａとも、スポット光Ｓの光を反射するが、潜像領域４２の方が側壁４２ａの数が多い分、潜像領域４２は、より多くの光を反射する。さらに、斜め方向で視認することで、凹部４１Ｌ及び凹部４２Ｌの間隔が圧縮されることから、図１１（ｃ）に示すように、潜像領域４２は、背景領域４１よりも明度が高い「Ｔ」の潜像画像が白く視認できる。一方、背景領域４１は、潜像領域４２よりも明度が低いが白く視認できるため、「四角形」の画像が視認できる。
【００６４】
一方、観察位置Ｋ３では、背景領域４１の凹部４１Ｌの側壁４１ｂと潜像領域４２の凹部４２Ｌの側壁４２ｂが基材表面により光が遮られ、黒く視認できる。このため、前述のとおり、潜像領域４２は、背景領域４１より凹部の数が多いことから、潜像領域４２は、背景領域４１よりも暗く視認できる。この結果、図１１（ｄ）に示すように、潜像領域４２は、背景領域４１よりも明度が低い「Ｔ」の潜像画像が視認できる。一方、背景領域４１は、潜像領域４２よりも明度が高い「四角形」の画像が視認できる。
【００６５】
（一般的な環境下での潜像の視認）
第１の実施形態と同様に、第２の潜像体４０を一般的な環境で視認した場合は、図１２に示すように、潜像体４０には光が均一に照射されることから、真上から視認したときは、潜像体４０の潜像体画像が視認できる。一方、観察位置Ｋ２及び観察位置Ｋ３では、図１２（ｂ）及び図１２（ｃ）に示すように、共に潜像領域４２の潜像画像「Ｔ」と背景領域４１の画像「四角形」が白く視認できる。
【００６６】
したがって、第１及び第２の実施形態から、潜像画像が視認できる第１の観察方向とは、潜像領域４２の凹部４２Ｌの長辺方向に対し、垂直方向となる。
【００６７】
（第２の観察方向での視認状態）
次に、図１３及び図１４を用いて、第２の観察方向での視認状態を説明する。具体的には、図１０（ａ）に示すＸ−Ｘ’方向であり、図１３（ａ）は、正確には、背景領域４１の凹部４１Ｌと潜像領域４２の凹部４２Ｌとの凹部に合わせた断面図である。なお、第２の潜像体４０の場合、第２の観察方向では画像は視認できない。第２の観察方向については、第１の実施形態と観察方向は異なるが、その他の条件や前提が同じであるため、同じ説明は省略する。
【００６８】
図１３（ａ）は、潜像体４０を第２の観察方向である観察位置Ｋ４及び観察位置Ｋ５で視認した模式図である。背景領域４１における直線の凹部４１Ｌ及び潜像領域４２の二重線の凹部４２Ｌは、スポット光Ｇの光を反射、又は遮る断続的な凹部がないため、凹部４１Ｌ及び凹部４２Ｌは、基材と同じ色で視認できる。その結果、図１３（ｃ）及び図１３（ｄ）に示すように、第２の観察方向では画像は視認できない。また、一般的な環境下での視認状態を、図１４に示すが、同様の理由から、こちらも画像は視認できない。
【００６９】
したがって、第１及び第２の実施形態の潜像体４０は、潜像体４０を真上から視認した場合は、潜像画像は視認できないが、所定の観察方向から視認することによって、潜像画像が視認することができる。ただし、第１の実施形態は、潜像領域４２の凹部４２Ｌの反射光のみで潜像画像が視認できるが、第２の実施形態は、背景領域４１の凹部４１Ｌと潜像領域４２の凹部４２Ｌとの数による反射光の差異が生じ潜像画像が視認できるため、第１の実施形態の潜像体４０の方が潜像画像の視認性はより高い。
【００７０】
（第１及び第２の実施形態の作用）
ところで、レーザ加工機のレーザ光の照射条件、基材にコート紙やアート紙等の紙表層にコーティングを施している用紙やカード等のプラスチック基材を使用する場合、コーティングしている材料又はプラスチック材料がレーザ光と反応し、レーザー加工機で加工した後の凹部４１Ｌ及び凹部４２Ｌに焦げが発生し、黒く着色してしまう場合があり、潜像体４０の画像は、一見してインキを用い、印刷したようにも視認できる。しかし、本発明の第１及び第２の実施形態では、凹部４１Ｌと凹部４２Ｌとの凹部面積において、単位面積当たりを同一にすること及び凹部４１Ｌと凹部４２Ｌで構成する直線と断絶線の中心を合わせることで、凹部４１Ｌ及び凹部４２Ｌが着色した場合でも、潜像体４０を構成する個々の線は、連続した１本の線としか視認できない。このため、潜像体４０の凹部４１Ｌ及び凹部４２Ｌが着色した場合でも、第１及び第２の実施形態で潜像体４０を形成すれば、真上から視認すると、着色した潜像体画像は視認できるが、この状態では潜像画像は視認できない。一方、所定の観察方向で視認した場合は、潜像画像が視認できる。このため、凹部４１Ｌ及び凹部４２Ｌの着色の有無にかかわらず、本発明の効果は発揮できる。
【００７１】
しかし、偽造防止の観点から見れば、凹部４１Ｌ及び凹部４２Ｌを着色しない場合は、複写機、スキャナ等では潜像体の画像が取り込めず、再現できないことから、より偽造抵抗力を高める場合は、着色しない形態の方が好適である。一方、凹部４１Ｌ及び凹部４２Ｌを着色する場合は、瞬ときに本物か偽物かを判断する必要がある場所又は環境、例えば、引換所、検閲所、対応窓口又は金券ショップ等では、潜像体の位置が簡単に特定及び検出できないと、潜像画像の有無による真偽判定もできないため、本発明の潜像体４０を瞬ときに真偽判定する利用法では、凹部を着色した形態が好適である。
【００７２】
また、直線である凹部４１Ｌの線間隔Ｐ１及び断絶線である凹部４２Ｌの線間隔Ｐ２が狭すぎると凹部が密集し、潜像体４０を真上から視認すると潜像体画像が視認しやすくなるが、逆に、線間隔を広すぎると、線と線との間隔が空きすぎ、傾けたときの潜像画像が視認し難くなるため、適切な線間隔Ｐ１及びＰ２に設定する必要がある。
【００７３】
また、第１及び第２の実施形態では、潜像体４０の潜像領域の凹部４２Ｌを縦方向と横方向で分断した例で示しているが、分断する方向は任意である。なお、本実施形態では、直線で例示しているが、曲線又は波線などでも構わない。ただし、曲線の場合、湾曲が高いと潜像の視認性が低下してしまうので、湾曲を小さく設計する必要がある。
【００７４】
また、凹部４１Ｌと凹部４２Ｌの凹部形状は、鋸状、鍵状、台形状、円状等の形状の制限はなく、また、基材に対して凹部の側壁は、４５〜９０度が好ましい。また、凹部の深さは０．０１ｍｍ以上、好ましくは、０．０２ｍｍ以上である。なお、本実施形態では、紙で例示しているが、プラスチック等のカードにも適用可能である。また、本発明はレーザ加工機による製造方法で説明したが、エンボス版面を用意し、印刷機等で押圧する製造方法の場合は、凹部の深さを浅くすることが好ましい。
【００７５】
また、第１及び第２の実施形態では、潜像領域４２の断絶線に対し、背景領域４１の直線により囲む構成としているが、潜像領域４２と背景領域４１を逆の構成としても良い。また、潜像領域４２の断絶線の凹部４２Ｌと潜像領域の直線の凹部４１Ｌは、接しない構成がより好ましい。
【実施例１】
【００７６】
基材１に、厚さ０．０９ｍｍの白色上質紙を用いて、図３に示す第１の実施形態で潜像体４０を作製した。炭酸ガスレーザ加工機を用いて上記基材１に加工を施し、非貫通の凹部４１Lと凹部４２Lを形成した。レーザ光の照射とき間及び照射出力を調整することで、凹部４１Lと凹部４２Lの最大深さが約０．０５ｍｍになるように設定した。なお、凹部４１Ｌと凹部４２Ｌの最大深さは、０．０５ｍｍとしたが、この数字に制約されるものではない。
【００７７】
潜像体４０の線構成は、表１に示すような、９水準による潜像体４０を作製した。また、図４に示すように、潜像体４０を真上から視認した場合の潜像体画像の視認性と、図７に示すように、潜像体を斜めから視認した場合の潜像画像の視認性を評価し、表１に記載した。なお、いずれの水準も、潜像体４０を真上から視認した場合、潜像画像は視認できない。
【００７８】
【表１】
2009083154.tif 000003
【００７９】
その結果、潜像体４０を真上から視認した場合の潜像体画像の視認性は、水準１及び水準５〜水準９の６水準は、潜像体画像（万線）は視認できるが、水準２〜水準４の３水準は、潜像体画像（万線）は視認できないか、又は視認し難い。一方、潜像体を所定の観察方向（斜め方向）から視認した場合の潜像画像（Ｔ）は、どの水準においても視認できる。したがって、９水準とも、潜像体を真上から視認した場合、潜像画像（Ｔ）は視認できないが、所定の観察方向（斜め方向）から視認すると潜像画像（Ｔ）が確認できるため、いずれの水準でも本発明の効果を得ることができた。また、特に潜像画像（Ｔ）の視認性が高い水準としては、水準１、水準５又は水準８である。
【００８０】
また、真上からの潜像体画像（万線）の視認性は、潜像体画像（万線）を視認できる構成と視認できない構成を選択することができる。なお、潜像体画像（万線）を視認できない構成にした場合は、第２の所定の観察方向から潜像体画像（万線が圧縮した四角形）が視認できた。また、本実施例の線間隔、線幅、潜像体画像及び潜像画像の図柄は、一例であり、本発明の効果が得られれば、制約は特段ない。
【実施例２】
【００８１】
本実施例の線構成は、図１０に示す第２の実施形態と同様であり、表２に示すような９水準による潜像体４０を作製し、図４に示すように、潜像体４０を真上から視認した場合の潜像体画像の視認性と、図１２に示すように、潜像体を所定の観察方向（斜め方向）から視認した場合の潜像画像の視認性を評価した。なお、その他の構成及び作製方法は、実施例１と同様のため、説明を省略する。
【００８２】
【表２】
2009083154.tif 000004
【００８３】
その結果、潜像体４０を真上から視認した場合の潜像体画像（万線）の視認性は、実施例１と同様である。一方、潜像体を所定の観察方向（斜め方向）から視認した場合の潜像画像（Ｔ）は、水準１〜水準４は潜像画像（Ｔ）が顕著に現れず、水準５〜水準９の５水準で潜像画像（Ｔ）が視認できるため、水準５〜水準９の線構成が好ましい。したがって、実施例２の構成では、潜像体を真上から視認した場合、潜像体画像が視認できず、所定の観察方向（斜め方向）から視認すると潜像画像が視認できるという効果を有する構成は困難であった。ただし、水準５〜水準９において、潜像体を真上から視認した場合には潜像画像（Ｔ）は視認できず、所定の観察方向（斜め方向）で視認した場合には、潜像画像（Ｔ）は視認でき、本発明の効果を得ることができる。また、特に潜像画像の視認性が高い水準としては、水準５又は水準８である。
【００８４】
なお、複写防止効果をカラーコピー機で確認したところ、潜像体画像を再現できない水準は、実施例１及び実施例２で水準１〜水準７である。一方、実施例１及び実施例２の水準８、水準９は、潜像体画像の線を部分的に再現できるが、潜像画像体の万線として再現できず、よって、万線として視認もできない。
【図面の簡単な説明】
【００８５】
【図１】本発明の一実施の形態を示す概要図である。
【図２】本発明の潜像体を構成する線の構成図である。
【図３】本発明の第１の潜像体の構成図である。
【図４】本発明の潜像体を真上から観察した場合の模式図である。
【図５】図４の一部拡大図である。
【図６】本発明の潜像体のＸ−Ｘ’線断面図と第１の観察方向で潜像画像を視認したときの模式図である。
【図７】一般的な環境下で、第１の観察方向で潜像画像を視認したときの模式図である。
【図８】本発明の潜像体のＹ−Ｙ’線断面図と第２の観察方向で潜像画像を視認したときの模式図である。
【図９】一般的な環境下で、第２の観察方向で潜像画像を視認したときの模式図である。
【図１０】本発明の第２の潜像体の構成図である。
【図１１】本発明の潜像体のＸ−Ｘ’線断面図と第１の観察方向で潜像画像を視認したときの模式図である。
【図１２】一般的な環境下で、第１の観察方向で潜像画像を視認したときの模式図である。
【図１３】本発明の潜像体のＹ−Ｙ’線断面図と第２の観察方向で潜像画像を視認したときの模式図である。
【図１４】一般的な環境下で、第２の観察方向で潜像画像を視認したときの模式図である。
【符号の説明】
【００８６】
１      偽造防止用紙
２      基材
３      情報
４０      潜像体
４１      背景領域
４１Ｌ    凹部
４２      潜像領域
４２Ｌ    凹部
Ｓ      スポット光
４１Ｅ    所定の領域
４２Ｅ    所定の領域
【図１】
2009083154.tif 000005
【図２】
2009083154.tif 000006
【図３】
2009083154.tif 000007
【図４】
2009083154.tif 000008
【図５】
2009083154.tif 000009
【図６】
2009083154.tif 000010
【図７】
2009083154.tif 000011
【図８】
2009083154.tif 000012
【図９】
2009083154.tif 000013
【図１０】
2009083154.tif 000014
【図１１】
2009083154.tif 000015
【図１２】
2009083154.tif 000016
【図１３】
2009083154.tif 000017
【図１４】
2009083154.tif 000018